(57)【特許請求の範囲】
【請求項１】
所定の間隔を空けて長さ方向で配列して係止凹部を複数設けると共に、これら係止凹部と同列に配して係入不能化用ガイド部を設けた内側スライダ、この内側スライダの外周にスライド可能に組み合わされる外側スライダ、先端側に上記係止凹部に係入可能な爪部を、基端側に押接部をそれぞれ有すると共に係止部を有し、回動軸を介して外側スライダに形成の係止爪組込み部に回動可能に組み付けられ、内側スライダと外側スライダの相対的スライドにおける縮み方向のスライドに際して回動しつつ内側スライダの複数の係止凹部の何れかにその爪部を係入させ、この係入状態で押接部が上記係止爪組込み部の内側面に押接することで内側スライダと外側スライダの係止状態を与える係止爪、この係止爪を係入方向に付勢する係入付勢手段、上記係止爪組込み部に設けた係止受け部、内側スライダと外側スライダを縮み方向のスライドとは逆向きの伸び方向にスライドさせるための付勢力を与える伸び方向付勢手段、及びこの伸び方向付勢手段の先端に設けられた押接体を備え、内側スライダ又は外側スライダが伸び方向付勢手段の付勢力に抗して押されることで縮み方向のスライドをなし、これに際して係止爪が回動しつつ複数の係止凹部にこれらの配列方向でその爪部を順次係入させることで段階的に縮み、最短まで縮んだ状態でさらに押されることにより、係止爪が内側スライダの係入不能化用ガイド部に押接することで非係入方向に所定の状態まで回動すると共に、この回動で係止爪の係止部が係入付勢手段による付勢を規制する状態で係止受け部に係止することにより係入不能状態を維持し、この間に伸び方向付勢手段の付勢力により最長状態まで伸び方向のスライドをなし、最長状態になると伸び方向付勢手段の先端の押接体が押接することで係止爪を係入方向に回動させて係入不能状態を解除するようにしてなる段階的伸縮機構。
【発明の詳細な説明】
【０００１】
【発明の属する技術分野】
本発明は、例えば換気装置の通気路を開閉するための機構や自動車の座席に設けられるヘッドレストの高さ調節のための機構などとして利用可能な伸縮機構に関する。
【０００２】
【従来の技術】
例えば実公平６−１２４７０号として、換気装置の通気路開閉部材を作動させるために用いた出没動作による伸縮機構が知られており、また実公昭６３−９７６２号として、伸縮機構としても利用可能なスライド機構が知られている。実公平６−１２４７０号における伸縮機構は押すだけのワンタッチ式操作で出没動を行なわせることができ、操作性に優れている。しかしこの機構では多段的な伸縮構造、つまり長さを段階的に変える構造とするのが困難であり、機能性に制限がある。一方実公昭６３−９７６２号におけるスライド機構は、多段的な伸縮が可能であるが、伸び方向、縮み方向の何れについても外部的に操作を加える必要があり、例えば実公平６−１２４７０号に開示されるような換気装置、あるいは自動車のヘッドレストのように、押す操作は行ない易くても引っ張る操作が困難である機器などに用いるには操作性に難がある。
【０００３】
【発明が解決しようとする課題】
本発明は、このような事情を背景になされたもので、多段的な伸縮を押すだけのワンタッチ式操作で可能とする伸縮機構の提供を目的としている。
【０００４】
【課題を解決するための手段】
本発明による段階的伸縮機構は、所定の間隔を空けて長さ方向で配列して係止凹部を複数設けると共に、これら係止凹部と同列に配して係入不能化用ガイド部を設けた内側スライダ、この内側スライダの外周にスライド可能に組み合わされる外側スライダ、先端側に上記係止凹部に係入可能な爪部を、基端側に押接部をそれぞれ有すると共に係止部を有し、回動軸を介して外側スライダに形成の係止爪組込み部に回動可能に組み付けられ、内側スライダと外側スライダの相対的スライドにおける縮み方向のスライドに際して回動しつつ内側スライダの複数の係止凹部の何れかにその爪部を係入させ、この係入状態で押接部が上記係止爪組込み部の内側面に押接することで内側スライダと外側スライダの係止状態を与える係止爪、この係止爪を係入方向に付勢する係入付勢手段、上記係止爪組込み部に設けた係止受け部、内側スライダと外側スライダを縮み方向のスライドとは逆向きの伸び方向にスライドさせるための付勢力を与える伸び方向付勢手段、及びこの伸び方向付勢手段の先端に設けられた押接体を備えてなっている。
【０００５】
この段階的伸縮機構の縮み動作は、内側スライダ又は外側スライダを伸び方向付勢手段の付勢力に抗して押して縮み方向のスライドを両スライダに相対的に生じさせることでなされ、これに際して係止爪が回動しつつ複数の係止凹部にこれらの配列方向でその爪部を順次係入させることで段階的に縮む。そして最短まで縮んだ状態でさらに押すことにより、係止爪が内側スライダの係入不能化用ガイド部に押接して非係入方向に所定の状態まで回動すると共に、この回動で係止爪の係止部が係入付勢手段による付勢を規制する状態で係止受け部に係止することにより係入不能状態を維持し、この間に伸び方向付勢手段の付勢力により最長状態まで伸び方向のスライドをなす。最長状態になると伸び方向付勢手段の先端の押接体が押接することで係止爪を係入方向に回動させて係入不能状態を解除し、再び上記段階的縮みをなさせることができるようになる。
【０００６】
このように本発明による段階的伸縮機構は、何れか一方のスライダを押すだけのワンタッチ式操作で伸縮動作をなさせることができ、押す操作は行ない易くても引っ張る操作が困難である装置などの機構要素として優れた適性がある。
【０００７】
【実施の形態】
本発明の第１の実施形態によると段階的伸縮機構は、図１〜図４に示すように、外側スライダ１、内側スライダ２、係止爪３、係入付勢手段４、及び伸び方向付勢手段５を主な要素とする。
【０００８】
外側スライダ１は、図の例のように一端を封鎖した角筒状に形成するか、あるいは円筒状に形成する。そして、その内側面に、係止爪３を後述のような組み付け状態で収納するための係止爪組込み部７を凹設する。またその係止爪組込み部７の内側面に係入不能状態維持手段の係止受け部として係止受け突起８を左右両側で設ける（図４）。この係止受け突起８は、図の例のように板ばね状のばね部８ｓで支持させ、後述する係止爪３の回動方向と交差する方向に弾性的に出没動可能な構造とするか、あるいは固定的な構造とする。
【０００９】
内側スライダ２は、外側スライダ１の内部空隙内で摺動的にスライド可能な外部形状を与えて形成する。この内側スライダ２には、その一側面に、係止凹部形成用溝９を凹設し、この係止凹部形成用溝９の底に楔形状の係止凹部１０（１０ａ〜１０ｃ）を意図する伸縮段階数に応じた数だけ所定の間隔を空けて長さ方向で配列して設け、またこの配列の延長上、より具体的には係止凹部形成用溝９の端にある係止凹部１０ｃの端縁に連続する位置に、上記延長方向で登り傾斜となる傾斜面にして係入不能化用ガイド部１１を設ける。
【００１０】
係止爪３は、先端側に爪部１２を、基端側に押接部１３をそれぞれ設けると共に、これらの間に上記係止受け突起８と協働して係入不能状態維持手段をなす係止部１４を左右両側で突設させた構造とし（図４）、爪部１２と押接部１３の中間位置で回動軸１５を介して外側スライダ１の係止爪組込み部７に回動可能に組み込む。なお上記のように係止受け突起８を固定構造とする場合には係止部１４を弾性変形可能な構造とする。
【００１１】
係入付勢手段４は、図の例のように一対のねじりコイルばね４ｓ、４ｓ（図４）で形成するか、あるいは他の例として引っ張りコイルばねなどで形成し、係止爪３にその爪部１２が係止凹部１０に係入する方向の回動付勢力を与えるようにして組み込む。
【００１２】
伸び方向付勢手段５は、一端に押接体１６を接続した圧縮コイルばね１７の他端を外側スライダ１の封鎖側端で支持した構造とし、外側スライダ１に対し内側スライダ２を後述の伸縮動作における伸び方向にスライドさせる付勢力を与えるように形成する。
【００１３】
この実施形態による段階的伸縮機構の伸縮動作は以下のようにしてなされる。先ず全体的な動作として、外側スライダ１と内側スライダ２が前進スライド（外側スライダ１については図２中の矢印Ｘ、内側スライダ２について図２中の矢印Ｙ）又は後退スライド（外側スライダ１については図２中の矢印Ｖ、内側スライダ２について図２中の矢印Ｗ）を相対的になすことにより伸縮動作がなされ、前進スライドで縮み、後退スライドで伸びる。
【００１４】
次に具体的動作であるが、図２及び図５の（ａ）の状態が最長に伸びた状態であり、この状態では係入方向への係入付勢手段４による付勢が後述のように係入不能状態維持手段で規制された状態を押接体１６の押接により係止爪３を係入方向へ回動させることで解除した状態であり、係止爪３はその爪部１２を内側スライダ２の端部に押接させ、またその押接部１３を後述の係止凹部１０への係入状態と同様に係止爪組込み部７の内側面に突っ張るように押接させている。
【００１５】
この状態から外側スライダ１又は内側スライダ２を前進スライド方向に押すと、係止爪３の爪部１２の先端が外側スライダ１の係止凹部形成用溝９の底に押接した状態（図２に二点鎖線で示すのと同様の状態）で両スライダが相対的に前進し（図５の（ｂ））、係止爪３の爪部１２が最初の係止凹部１０ａに至ると係入付勢手段４の付勢力によりそこに回動・係入する。係止爪３の爪部１２が係止凹部１０（１０ａ〜１０ｃ）の何れかに係入した状態では係止爪３の押接部１３が係止爪組込み部７の内側面に突っ張るように押接する。そしてこの押接と爪部１２の係止凹部１０への係止とにより、伸び方向付勢手段５の付勢力に抗して伸び方向スライドが規制され一定の長さを保つ（図５の（ｃ））。
【００１６】
この状態で外側スライダ１又は内側スライダ２を前進スライド方向に押せば、爪部１２の外側面が係止凹部１０ａの内側面に押接することで生じる押接力の分力により係止爪３が非係入方向へ回動し、その爪部１２が図２に二点鎖線で示すように係止凹部１０ａから外れ、これと共に係止爪３がその爪部１２を隣の係止凹部１０ｂに係入させ、これに応じた長さが得られる。
【００１７】
このようにして順次段階的に縮み、前進スライド側の端にある係止凹部１０ｃに係止爪３の爪部１２が係入している状態、つまり最短に縮んだ状態で外側スライダ１又は内側スライダ２を前進スライド方向に押すと、係止凹部１０の端縁に連続している係入不能化用ガイド部１１に爪部１２が押接し（図３及び図５の（ｂ））、これにより生じる押接力の分力により係止爪３が非係入方向へ回動する。この回動は、係止爪３の係止部１４が係止受け突起８をこれに没動させつつ乗り越える角度までなされ、乗り越えた後には係入付勢手段４による回動付勢を規制する状態で係止受け突起８に係止する（図３に一点鎖線で示す）。この状態では係止爪３の押接部１３も係止爪組込み部７の内側面から浮いた状態となる。したがって伸び方向付勢手段５の付勢力を規制する要素がなくなり、両スライダ１、２は伸び方向付勢手段５の付勢力で後退スライドし、図５の（ａ）に示す最長の状態まで伸びきった状態に戻る。
【００１８】
最長状態まで伸びきると、押接体１６が圧縮コイルばね１７の付勢力を受けつつ係止爪３に押接し、これにより係止爪３は係入方向へ回動する。この回動は、係止爪３の係止部１４が係止受け突起８をこれに没動させつつ上記とは逆方向へ乗り越えるようになされ、この結果、係止爪３は係入方向へ回動可能となる。
【００１９】
本発明の第２の実施形態による段階的伸縮機構は、図６及び図７に示すようになる。この実施形態では係止爪２１に図７に見られるような段構造にした係止部２２を設ける一方で、この係止部２２と協働して係入不能状態維持手段を形成する係止受け部用として係止受け体２３を外側スライダ１の係止爪組込み部７に設ける。この係止受け体２３は、ばね性のある板材を用いてクリップ状に形成し、基端側の台形部２３ａと先端側の拡開部２３ｂの間に括れ部２３ｃを設けた構造とする。そして、係止爪２１が係入不能化用ガイド部１１への押接により二点鎖線で示す状態まで回動した際にその係止部２２が係止受け体２３の括れ部２３ｃをこじ拡げるようにして保持されることで係入不能状態の維持をなさせる。なお係止部２２と係止受け体２３は逆の組み合わせにすることも可能である。つまり係止受け体２３と同様なクリップ状で係止爪の係止部を形成し、係止部２２と同様な係止受け部を係止爪組込み部に形成するようにする。本実施形態におけるその他の構造及び伸縮動作は第１の実施形態と同様であるので共通部分に同一の符号を付して説明を省略する。
【００２０】
以上の実施形態による段階的伸縮機構を利用する実施形態について説明する。一つの実施形態は換気装置に利用する形態である。この実施形態による換気装置は、図８に示すように、通気路部材３１、開度調節部材３２、及び上記実施形態による段階的伸縮機構で形成した作動手段３３を主な要素とする。
【００２１】
通気路部材３１は、その内部が通気路となる短円筒状に形成し、先端部には装飾的曲折を施した額縁３４を設ける。一方、開度調節部材３２は、側面に通気開口３５を複数形成した筒部３６、装飾用のフェイス部３３、及びフェイス部３３の中心から突設させた接続部３８を備えた構造とする。そして通気路部材３１に対し開度調節部材３２を摺接的に嵌合させ、この両部材を作動手段３３で連結する。
【００２２】
この換気装置は、開度調節部材３２を矢印Ｘの如く押すと、作動手段３３が上述したようにして段階的伸縮を行ない、これに伴って開度調節部材３２の通気開口３５が通気路部材３１により塞がれ、あるいはその塞がれ状態が解除し、これに応じて通気路部材３１における通気路の開度の調節がなされる。
【００２３】
次に自動車用のヘッドレストに利用する実施形態について説明する。この場合には図９に示すように、シートの背もたれ４０に上記実施形態による段階的伸縮機構を用いた作動手段４１を２個一組にして組み込み、これにヘッドレスト４２を保持させる。
【００２４】
【発明の効果】
以上説明したように本発明による段階的伸縮機構は、多段的な伸縮を押すだけのワンタッチ式操作で行なうことができ、押す操作は行ない易くても引っ張る操作が困難である装置などの機構要素の機能性向上に寄与できる。
【図面の簡単な説明】
【図１】第１の実施形態による段階的伸縮機構の全体斜視図。
【図２】図１中のＳＡ−ＳＡ線に沿う断面図。
【図３】図２に対応する部分拡大断面図。
【図４】図２中の矢印ＤＡ方向から見た係止爪組込み部の構造図。
【図５】第１の実施形態による段階的伸縮機構の動作説明図。
【図６】第２の実施形態による段階的伸縮機構の図２相当の要部断面図。
【図７】係止受け部に係止爪が係止した状態の説明図。
【図８】本発明による段階的伸縮機構を利用した換気装置の断面図。
【図９】本発明による段階的伸縮機構を利用したヘッドレストの斜視図。
【符号の説明】
１  外側スライダ
２  内側スライダ
３  係止爪
４  係入付勢手段
５  伸び方向付勢手段
８  係止受け突起（係止受け部）
10a〜10d   係止凹部
１１  係入不能化用ガイド部
１２  爪部
１３  押接部
１４  係止部
１５  回動軸
２１  係止爪
２２  係止部
２３  係止受け体（係止受け部）
【図１】
0003751669.tif 000002
【図２】
0003751669.tif 000003
【図３】
0003751669.tif 000004
【図４】
0003751669.tif 000005
【図５】
0003751669.tif 000006
【図６】
0003751669.tif 000007
【図７】
0003751669.tif 000008
【図８】
0003751669.tif 000009
【図９】
0003751669.tif 000010